【手続補正書】
【提出日】平成28年4月27日(2016.4.27)
【手続補正１】
【補正対象書類名】特許請求の範囲
【補正対象項目名】全文
【補正方法】変更
【補正の内容】
【特許請求の範囲】
【請求項１】
遊技球が入球可能な始動口と、
閉状態と開状態とを採り得る可変入賞口と、
可変入賞口に入球した遊技球が入球し得る特定領域と、
特定領域に取り付けられた、第一位置と第二位置とに変位可能な部材であって、第二位置に変位した際には特定領域に遊技球が入球可能又は第一位置と比較して入球容易となると共に、第一位置に変位した際には特定領域に遊技球が入球不能又は第二位置と比較して入球困難となるよう構成されている可変部材と、
識別情報を表示可能な識別情報表示部と
を備え、
始動口への遊技球の入球に基づき識別情報が所定態様にて停止表示された場合において、可変入賞口への所定個数の入球又は所定期間の経過となる開閉終了条件を充足するまで可変入賞口を閉状態から開状態とし得ると共に、開閉終了条件を充足した後から遊技終了条件が充足されるまで可変入賞口を閉状態に維持する遊技である単位遊技を一又は複数回実行する特別遊技を実行可能な特別遊技実行手段と、
ある単位遊技の実行時において特定領域への入球があった場合には遊技者にとって有利となるよう制御し得る特典付与手段と
を備え、
ある単位遊技が実行された状況下、予め定められた一の変位態様に基づき可変部材を変位させるよう構成されており、
前記所定態様の種類に基づき、単位遊技の実行時における可変入賞口の開放態様が決定され、前記所定態様が第１の種類に属する場合での単位遊技の実行時における特定領域への入球可能性よりも、前記所定態様が第２の種類に属する場合での単位遊技の実行時における特定領域への入球可能性の方が低くなるよう構成されており、
前記所定態様が第１の種類に属する場合には、可変入賞口が開状態となる総時間よりも可変部材が第二位置となる総時間の方が長く設定された単位遊技を含んでおり、前記所定態様が第２の種類に属する場合には、可変入賞口が開状態となる総時間と可変部材が第二位置となる総時間とが同一に設定された単位遊技を含んでいる
ことを特徴とするぱちんこ遊技機。
【手続補正２】
【補正対象書類名】明細書
【補正対象項目名】０００５
【補正方法】変更
【補正の内容】
【０００５】
本態様に係るぱちんこ遊技機は、
遊技球が入球可能な始動口と、
閉状態と開状態とを採り得る可変入賞口と、
可変入賞口に入球した遊技球が入球し得る特定領域と、
特定領域に取り付けられた、第一位置と第二位置とに変位可能な部材であって、第二位置に変位した際には特定領域に遊技球が入球可能又は第一位置と比較して入球容易となると共に、第一位置に変位した際には特定領域に遊技球が入球不能又は第二位置と比較して入球困難となるよう構成されている可変部材と、
識別情報を表示可能な識別情報表示部と
を備え、
始動口への遊技球の入球に基づき識別情報が所定態様にて停止表示された場合において、可変入賞口への所定個数の入球又は所定期間の経過となる開閉終了条件を充足するまで可変入賞口を閉状態から開状態とし得ると共に、開閉終了条件を充足した後から遊技終了条件が充足されるまで可変入賞口を閉状態に維持する遊技である単位遊技を一又は複数回実行する特別遊技を実行可能な特別遊技実行手段と、
ある単位遊技の実行時において特定領域への入球があった場合には遊技者にとって有利となるよう制御し得る特典付与手段と
を備え、
ある単位遊技が実行された状況下、予め定められた一の変位態様に基づき可変部材を変位させるよう構成されており、
前記所定態様の種類に基づき、単位遊技の実行時における可変入賞口の開放態様が決定され、前記所定態様が第１の種類に属する場合での単位遊技の実行時における特定領域への入球可能性よりも、前記所定態様が第２の種類に属する場合での単位遊技の実行時における特定領域への入球可能性の方が低くなるよう構成されており、
前記所定態様が第１の種類に属する場合には、可変入賞口が開状態となる総時間よりも可変部材が第二位置となる総時間の方が長く設定された単位遊技を含んでおり、前記所定態様が第２の種類に属する場合には、可変入賞口が開状態となる総時間と可変部材が第二位置となる総時間とが同一に設定された単位遊技を含んでいる
ことを特徴とするぱちんこ遊技機である。
＜付記＞
尚、本態様とは異なる別態様について以下に列記しておくが、これらには何ら限定されることなく実施することが可能である。
本別態様に係るぱちんこ遊技機は、
遊技球が入球可能な始動口と、
閉状態と開状態とを採り得る可変入賞口と、
可変入賞口に入球した遊技球が入球し得る特定領域と、
特定領域に取り付けられた、第一位置と第二位置とに変位可能な部材であって、第二位置に変位した際には特定領域に遊技球が入球可能又は第一位置と比較して入球容易となると共に、第一位置に変位した際には特定領域に遊技球が入球不能又は第二位置と比較して入球困難となるよう構成されている可変部材と
を備え、
始動口への遊技球の入球に基づく所定条件を充足した場合において、可変入賞口への所定個数の入球又は所定期間の経過となる開閉終了条件を充足するまで可変入賞口を閉状態から開状態とし得ると共に、開閉終了条件を充足した後から遊技終了条件が充足されるまで可変入賞口を閉状態に維持する遊技である単位遊技を一又は複数回実行する特別遊技を実行可能な特別遊技実行手段と、
ある単位遊技の実行時において特定領域への入球があった場合には遊技者にとって有利となるよう制御し得る特典付与手段と
を備え、
ある単位遊技が実行された状況下、予め定められた一の変位態様に基づき可変部材を変位させるよう構成されており、
前記予め定められた一の変位態様として、第一位置にある可変部材を特定期間内にて第二位置に変位可能とした後に第一位置とする第一変位態様と、第一変位態様にて変位させた後において第一位置にある可変部材を第二位置に変位可能とする第二変位態様と、を少なくとも有し、
ある単位遊技が実行された状況下、可変部材を第二変位態様にて変位させるよりも前に、当該ある単位遊技における開閉終了条件が充足されるよう構成されていると共に、当該ある単位遊技における開閉終了条件が充足された際に当該ある単位遊技において所定の動作異常が発生していない場合には、可変部材を第二変位態様にて変位させるよりも前に可変部材の変位を終了して当該ある単位遊技における遊技終了条件を充足させる一方、当該ある単位遊技における開閉終了条件が充足された際に当該ある単位遊技において所定の動作異常が発生している場合には、所定の動作異常が解除されなければ、可変部材を第二変位態様にて変位させるまでは、可変部材の変位を終了することなく継続させ当該ある単位遊技における遊技終了条件を充足させないよう構成されている
ことを特徴とするぱちんこ遊技機である。
＜付記＞
尚、本態様とは異なる別態様について以下に列記しておくが、これらには何ら限定されることなく実施することが可能である。
本別態様に係るぱちんこ遊技機は、
遊技球が入球可能な始動口（例えば、第１主遊技始動口２２１０や第２主遊技始動口２１１０）と、
閉状態と開状態とを採り得る可変入賞口（例えば、第１大入賞口２１２０や第２大入賞口２２２０）と、
可変入賞口（例えば、第１大入賞口２１２０や第２大入賞口２２２０）に入球した遊技球が入球し得る特定領域（例えば、特定領域２２２４）と、
特定領域（例えば、特定領域２２２４）に取り付けられた、第一位置と第二位置とに変位可能な部材であって、第二位置に変位した際には特定領域（例えば、特定領域２２２４）に遊技球が入球可能又は第一位置と比較して入球容易となると共に、第一位置に変位した際には特定領域（例えば、特定領域２２２４）に遊技球が入球不能又は第二位置と比較して入球困難となるよう構成されている可変部材（例えば、特定領域遮蔽部材２２２４ａ）と
を備え、
始動口（例えば、第１主遊技始動口２２１０や第２主遊技始動口２１１０）への遊技球の入球に基づく所定条件を充足した場合において、可変入賞口（例えば、第１大入賞口２１２０や第２大入賞口２２２０）への所定個数の入球又は所定期間の経過となる開閉終了条件を充足するまで可変入賞口（例えば、第１大入賞口２１２０や第２大入賞口２２２０）を閉状態から開状態とし得ると共に、開閉終了条件を充足した後から遊技終了条件が充足されるまで可変入賞口（例えば、第１大入賞口２１２０や第２大入賞口２２２０）を閉状態に維持する遊技である単位遊技（いわゆるラウンドであり、以下同じ）を一又は複数回実行する特別遊技を実行可能な特別遊技実行手段（例えば、特別遊技実行手段１１７３）と、
ある単位遊技の実行時において特定領域（例えば、特定領域２２２４）への入球があった場合には遊技者にとって有利となるよう制御し得る特典付与手段（例えば、振分遊技実行制御手段１１７６）と、
ある単位遊技が実行された状況下、予め定められた一の変位態様に基づき可変部材（例えば、特定領域遮蔽部材２２２４ａ）を変位させるよう構成されており、当該ある単位遊技における開閉終了条件が充足された際に当該ある単位遊技において所定の動作異常が発生していない場合には、当該予め定められた一の変位態様に基づく可変部材（例えば、特定領域遮蔽部材２２２４ａ）の変位を強制終了して当該ある単位遊技における遊技終了条件を充足させる一方、当該ある単位遊技における開閉終了条件が充足された際に当該ある単位遊技において所定の動作異常が発生している場合には、当該予め定められた一の変位態様に基づく可変部材（例えば、特定領域遮蔽部材２２２４ａ）の変位を強制終了することなく継続させ当該ある単位遊技における遊技終了条件を充足させないよう構成されている
ことを特徴とするぱちんこ遊技機である。